(57)【要約】【課題】  組み付け効率がよく、しかも、防護ネットの着脱が容易にできるスピーカユニットを提供することを目的とする。【解決手段】  振動板の前面側が、例えば、孔明鋼板などの着磁性体部材を用いて円皿状に形成したパンチングネットで被覆されるスピーカユニットにおいて、環状に形成され一方の内縁部が振動板の開口前面部に固定され、振動板を軸線方向に変異自在に支持するエッジと、スピーカフレームの開口縁部に固定され、パンチングネットの基端部が緩挿する溝または基端面が当接する当接面が設けられたパンチングネット固定部品とからなり、エッジの外周縁部とパンチングネット固定部品の内周部とが接続するようにプラスチックマグネット部材で一体形成し、パンチングネット固定部品の磁力によりパンチングネットを固定するようにして着脱を容易にしたことを特徴とする。【選択図】  図１
2006060726.tif 000002
【特許請求の範囲】
【請求項１】
振動板の前面側が、着磁性体部材で形成された防護ネットで被覆されるスピーカユニットにおいて、
環状に形成され一方の内縁部が前記振動板の外周縁部に固定され、該振動板を軸線方向に変異自在に支持するエッジ部と、
スピーカフレームの開口縁部の前面側に固定され、前記防護ネットの基部端面が当接する当接面が設けられたスペーサ部とからなり、
前記エッジ部の外周縁部と前記スペーサ部の内周部とが接続するようにマグネット部材で一体形成されてなることを特徴とするスピーカユニット。
【請求項２】
前記スペーサ部には、前記防護ネットの基端部が嵌入する溝が設けられていることを特徴とする請求項１に記載のスピーカユニット。
【請求項３】
前記スペーサ部の前面は、前記エッジ部の前面より突出していることを特徴とする請求項１または請求項２に記載のスピーカユニット。
【請求項４】
振動板の前面側が、着磁性体部材で形成された防護ネットで被覆されるスピーカユニットにおいて、
環状に形成され一方の内縁部が前記振動板の開口前面部に固定され、他方の外縁部をスピーカフレームの開口縁部に固定して、該振動板を軸線方向に変異自在に支持するエッジと、
マグネット部材で形成され、前記防護ネットを磁力により固定する防護ネット固定部品とからなり、
前記防護ネット固定部品は、スピーカフレームの開口縁部に固定されてなることを特徴とするスピーカユニット。
【請求項５】
前記防護ネット固定部品には、前記防護ネットの基端面が当接する当接面または前記防護ネットの基端部が嵌入する溝が設けられていることを特徴とする請求項４に記載のスピーカユニット。
【請求項６】
前記防護ネット固定部品の前面は、前記エッジをの前面より突出していることを特徴とする請求項４または請求項５に記載のスピーカユニット。
【請求項７】
前記防護ネット固定部品の固定面には、前記スピーカフレームの開口縁部に固定された前記エッジの外縁部の部分を逃がす段差部が設けられていることを特徴とする請求項４、請求項５または請求項６に記載のスピーカユニット。
【請求項８】
前記スピーカフレームは、着磁性体部材で形成されてなることを特徴とする請求項１乃至請求項７に記載のスピーカユニット。
【請求項９】
振動板の前面側が、着磁性体部材で形成された防護ネットで被覆されるスピーカユニットにおいて、
取付けられた前記スピーカユニットの前方に放音する開口部が設けられた被取付部材と、
マグネット部材で形成され、前記防護ネットの基端部の周側面を磁力により固定する防護ネット固定部品とからなり、
前記防護ネット固定部品は、前記被取付部材の開口端面部に固定されてなることを特徴とするスピーカユニット。
【請求項１０】
前記防護ネット固定部品の終端部には、前記防護ネットの基端部が嵌入する溝または基部端面が当接する当接面が延設されていることを特徴とする請求項９に記載のスピーカユニット。
【請求項１１】
前記被取付部材は、スピーカボックスまたはスピーカグリルであることを特徴とする請求項９または請求項１０に記載のスピーカユニット。
【発明の詳細な説明】
【技術分野】
【０００１】
本発明は、振動板の前面に防護ネットが取付けられるスピーカユニットに係り、詳細には該防護ネットの着脱が容易にできる固定構造に関する。
【背景技術】
【０００２】
背景技術の先行技術例として、振動板の前面にパンチングネット（防護ネットに相当）が取付けられたスピーカユニットを図１０および図１１を用いて説明する。
【０００３】
図１０は背景技術のスピーカユニットを示す正面断面図である。図１１は背景技術のスピーカユニットのエッジ部近傍の構成部品を示す断面拡大図である。
【０００４】
５０は、典型的なコーン形状の振動板５５が構成され、振動板の前面にパンチングネット５７（振動板５５の前面を被覆して保護する防護ネットで、例えば円皿形状をしており、材料には孔明鋼板などが用いられプレス加工などにより形成）が取付けられた背景技術のスピーカユニットである。
【０００５】
スピーカユニット５０の音源となる振動板５５を駆動させる磁気回路６０は、ポールピース６０ａとプレート６０ｂとで円環状のマグネット６０ｃを挟持する外磁形であり、ポールピース６０ａのポール部６０ｇとプレート６０ｂの孔径との間隙には、ボイスコイル６０ｄが巻回されたボビン５０ｅが配設されている。また、プレート６０ｂの前面側にはスピーカフレーム５９の基端部５９ａが固定される。振動板５５の基端部５５ａがボビン６０ｅの上端部６０ｆに接着固定されており、そのボビン６０ｅはスピーカフレーム５９に取付けられたダンパ６１によって支持されている。また、振動板５５の開口前面部５５ｂには振動板５５を軸線方向に変異自在に支持するエッジ５６の内周縁部５６ａが接着固定され、接着されたエッジ５６の外周縁部５６ｂと、パンチングネット５７の基端部５７ａを固定する溝５８ａ（基端部５７ａを圧着固定できるように溝５８ａの溝幅は基端部５７ａの厚みよりを狭く形成）を有するガスケット５８の内周部５６ｂとが接続するようにゴム部材で一体形成される。そして、エッジ５６と一体形成されたガスケット５８がスピーカフレーム５９の開口縁部５９ｂの前面側に、両面粘着テープまたは接着剤などを用いて固定される。したがって、音源となる振動板５５はスピーカフレーム５９の内側に、エッジ５６とダンパ６１により懸吊状態で支持されている。
【０００６】
この出願の発明に関する先行技術文献としては次のものがある。
【特許文献１】特開平６−２６３９２号
【発明の開示】
【発明が解決しようとする課題】
【０００７】
しかし、上述のスピーカユニット５０では、パンチングネット５７の基端部５７ａを、ゴム部材で形成されたガスケット５８の溝５８ａに圧入してパンチングネット５７を溝５８ａの弾性力により固定する構造となっており、パンチングネット５７の基端部５７ａの厚みよりも、ガスケット５８の溝５８ａの溝幅の方が狭くなっているので、パンチングネット５７の組み付け時に嵌め込みにくいと言う問題が残る。
【０００８】
その他に、ガスケット５８をスピーカフレーム５９の開口縁部５９ｂに、両面粘着テープまたは接着剤などを用いて固定するようになっているので組み付け効率が悪い。
【０００９】
本発明は上述の問題を解決するもので、組み付け効率がよく、しかも、防護ネットの着脱が容易にできるスピーカユニットを提供することを目的とする。
【課題を解決するための手段】
【００１０】
本発明は上述の目的を達成するもので、振動板の前面側が、着磁性体部材で形成された防護ネットで被覆されるスピーカユニットにおいて、環状に形成され一方の内縁部が前記振動板の外周縁部に固定され、該振動板を軸線方向に変異自在に支持するエッジ部と、スピーカフレームの開口縁部の前面側に固定され、前記防護ネットの基部端面が当接する当接面が設けられたスペーサ部とからなり、前記エッジ部の外周縁部と前記スペーサ部の内周部とが接続するようにマグネット部材で一体形成されてなることを特徴とするものである。
【００１１】
または、前記スペーサ部には、前記防護ネットの基端部が嵌入する溝が設けられていることを特徴とするものである。
【００１２】
または、前記スペーサ部の前面は、前記エッジ部の前面より突出していることを特徴とするものである。
【００１３】
または、振動板の前面側が、着磁性体部材で形成された防護ネットで被覆されるスピーカユニットにおいて、環状に形成され一方の内縁部が前記振動板の開口前面部に固定され、他方の外縁部をスピーカフレームの開口縁部に固定して、該振動板を軸線方向に変異自在に支持するエッジと、マグネット部材で形成され、前記防護ネットを磁力により固定する防護ネット固定部品とからなり、前記防護ネット固定部品は、スピーカフレームの開口縁部に固定されてなることを特徴とするものである。
【００１４】
または、前記防護ネット固定部品には、前記防護ネットの基端面が当接する当接面または前記防護ネットの基端部が嵌入する溝が設けられていることを特徴とするものである。
【００１５】
または、前記防護ネット固定部品の前面は、前記エッジをの前面より突出していることを特徴とするものである。
【００１６】
または、前記防護ネット固定部品の固定面には、前記スピーカフレームの開口縁部に固定された前記エッジの外縁部の部分を逃がす段差部が設けられていることを特徴とするものである。
【００１７】
または、前記スピーカフレームは、着磁性体部材で形成されてなることを特徴とするものである。
【００１８】
または、振動板の前面側が、着磁性体部材で形成された防護ネットで被覆されるスピーカユニットにおいて、取付けられた前記スピーカユニットの前方に放音する開口部が設けられた被取付部材と、マグネット部材で形成され、前記防護ネットの基端部の周側面を磁力により固定する防護ネット固定部品とからなり、前記防護ネット固定部品は、前記被取付部材の開口端面部に固定されてなることを特徴とするものである。
【００１９】
または、前記防護ネット固定部品の終端部には、前記防護ネットの基端部が嵌入する溝または基部端面が当接する当接面が延設されていることを特徴とするものである。
【００２０】
または、前記被取付部材は、スピーカボックスまたはスピーカグリルであることを特徴とするものである。
【発明の効果】
【００２１】
以上説明したように本発明によれば、組み付け効率がよく、しかも防護ネットの着脱が容易にできるスピーカユニットを提供することができる。
【発明を実施するための最良の形態】
【００２２】
コーン形状の振動板の前面にパンチングネット（防護ネットに相当）が取付けられる場合のスピーカユニットの発明事例の一部を図１乃至図９を用いて説明する。
【実施例１】
【００２３】
本発明の実施例１を図１、図２および図３を用いて説明する。図１は本発明の実施例１のスピーカユニットを示す正面断面図である。図２は実施例１のスピーカユニットのエッジ部近傍の構成部品を示す断面拡大図である。図３は実施例１のパンチングネット固定部品と一部が異なる固定構造を示す断面拡大図である。
【００２４】
１０は、図１および図２で示すように本発明で説明する一般的なコーン形状の振動板１５が構成され、振動板１５の前面にパンチングネット１７（振動板１５の前面を被覆して保護する防護ネットで、例えば円皿形状をしており、材料には着磁性体の孔明鋼板などが用いられプレス加工などにより形成）が取付けられたスピーカユニットである。音源となる振動板１５を駆動させる磁気回路２０は、ポールピース２０ａとプレート２０ｂとで円環状のマグネット２０ｃを挟持する外磁形の磁気回路２０で、ポールピース２０ａのポール部２０ｇとプレート２０ｂの孔径との間隙には、ボイスコイル２０ｄが巻回されたボビン２０ｅが配設されている。また、プレート２０ｂの前面側にはスピーカフレーム１９の基端部１９ａが固定される。振動板１５の基端部１５ａがボビン２０ｅの上端部２０ｆに接着固定されており、そのボビン２０ｅはスピーカフレーム１９に取付けられたダンパ２１によって支持されている。また、円環状に形成されたエッジ１６の一方の内縁部１６ａが、振動板１５の開口前面部１５ｂに接着固定される。また、円環状に形成されたパンチングネット固定部品１８（スペーサ部に相当）の前面側には、パンチングネット１７の基端部１７ａを固定する溝１８ａ（基端部１７ａが緩挿できるように基端部１７ａの厚みよりも溝１８ａの溝幅を広く形成）が形成されている。そして、振動板１５に接着されたエッジ１６の外周縁部１６ｂと、パンチングネット固定部品１８の内周縁部１８ｂとが接続するように、二つの部品が、樹脂部材（例えば合成ゴム）と磁性体部材とが混合されたプラスチックマグネット部材を用いて一体形成される。そして、エッジ１６と一体形成されたパンチングネット固定部品１８の部分が、着磁性体部材で形成されたスピーカフレーム１９の開口縁部１９ｂの前面側に磁力により固定される。したがって、音源となる振動板１５はスピーカフレーム１９の内側に、エッジ１６とダンパ２１により懸吊状態となるので、振動板１５は軸線方向に変異自在に支持される。
【００２５】
以上説明したように、本発明の実施例１のスピーカユニット１０によれば、プラスチックマグネット部材で形成されたパンチングネット固定部品１８の部分に形成された溝１８ａにパンチングネット１７の基端部１７ａが緩挿されると、パンチングネット固定部品１８の磁力で吸着固定される構成となっている。また、パンチングネット１７の基端部１７ａの厚みよりも、パンチングネット固定部品１８の溝１８ａの溝幅の方が広く形成されているので、パンチングネット１７の着脱が容易になり、後付けが可能となる。
【００２６】
その他に、パンチングネット固定部品１８がプラスチックマグネット部材で形成されているので、磁力でスピーカフレーム１９の開口縁部１９ｂに固定することができる。したがって、固定するための両面粘着テープまたは接着剤などが不要となり、部材費の節減および組み付け工数の削減などが図れる。
【００２７】
また、パンチングネット固定部品１８にパンチングネット１７の基端部１７ａが緩挿する溝１８ａを設けたが、これに限らず、図３に示すようにパンチングネット固定部品１８に溝１８ａを設けずに、パンチングネット１７の基部端面１７ｂが当接するように当接面１８ｃを設けることもできる。
【００２８】
尚、本発明の実施例１のスピーカユニット１０では着磁性体部材で形成されたスピーカフレーム１９を用いた場合について説明したが、樹脂部材など非着磁性体部材で形成されたスピーカフレームを用いたスピーカユニットの場合には、パンチングネット固定部品１８はスピーカフレームに接着固定することになるが、この場合でも本発明のパンチングネット固定部品１８であればパンチングネット１７の着脱効果は変わらない。その他に、実施例１では円形のスピーカについて説明したが、これに限らず円形以外のスピーカ例えば楕円形のスピーカなどにも本発明を適用することができる。
【００２９】
その他に、本実施例ではパンチングネット固定部品１８の材料にプラスチックマグネット部材を用いたが、これに限定されることなく金属製のマグネット部材を用いることも可能である。
【実施例２】
【００３０】
本発明の実施例２を図４および図５を用いて説明する。
【００３１】
図４は本発明の実施例２のスピーカユニットのエッジ部近傍の構成部品を示す断面拡大図である。図５は実施例２のパンチングネット固定部品と一部が異なる固定構造を示す断面拡大図である。尚、実施例２は実施例１の一部を変更したものであり、実施例１と同じ構成については同じ符号を付し説明を省略する。
【００３２】
２５はエッジで、図４で示すように円環状に形成され一方の内縁部２５ａが振動板１５の開口前面部１５ｂに固定され、他方の外縁部２５ｂがスピーカフレーム１９の開口縁部１９ｂ前面側に固定されて、振動板１５を軸線方向に変異自在に支持する。
【００３３】
２６はパンチングネット固定部品で、図４で示すように円環状をしており前面側には、パンチングネット１７の基端部１７ａを固定する溝２６ａ（基端部１７ａが緩挿できるように溝幅を広く形成）が形成されており、パンチングネット固定部品２６の前面は、エッジ２５を保護するためにエッジ２５の前面より突出している。パンチングネット固定部品２６の材料にはプラスチックマグネット部材が用いられ樹脂成型加工により形成される。パンチングネット固定部品２６は磁力によりスピーカフレーム１９の開口縁部１９ｂの前面側に固定される。その後、パンチングネット固定部品２６の溝２６ａにパンチングネット１７の基端部１７ａが緩挿されて、パンチングネット固定部品２６の磁力により固定される。
【００３４】
以上説明したように、本発明の実施例２のスピーカユニット１１においても、プラスチックマグネット部材で形成されたパンチングネット固定部品２６に形成された溝２６ａにパンチングネット１７の基端部１７ａが緩挿されると、パンチングネット固定部品２６の磁力で吸着固定される構成となっている。また、パンチングネット１７の基端部１７ａの厚みよりも，パンチングネット固定部品２６の溝２６ａの溝幅が広く形成されているので、パンチングネット１７の着脱が容易になり、後付けが可能となる。その他に、パンチングネット固定部品２６の前面が、エッジ２５の前面より突出しているのでエッジ２５を保護することができる。尚、パンチングネット固定部品２６にパンチングネット１７の基端部１７ａが緩挿する溝２６ａを設けたが、これに限らず図５に示すようにパンチングネット１７の基端面１７ｂが当接するように当接面２６ｂを設けることもできる。また、スピーカフレーム１９の開口縁部１９ｂの前面に接着固定されたエッジ２５の外周部２５ｃと、スピーカフレーム１９の前面の外周部１９ｃとの間にスペースがあり、しかも、スピーカフレーム１９の前面よりエッジ２５の接着面が突出して段差ｔがある場合には、溝２６ａ形成面の背面側（スピーカフレーム１９への固定面）の内周縁部側に、必要により、エッジ２５の段差ｔを逃がす環状の段差Ｔを形成することにより、パンチングネット固定部品２６の固定面がスピーカフレーム１９の開口縁部１９ｂに直に接触するので、スピーカフレーム１９への吸着力がさらに強まる。
【００３５】
尚、本実施例ではパンチングネット固定部品２６の材料にプラスチックマグネット部材を用いたが、これに限定されることなく金属製のマグネット部材を用いることも可能である。
【実施例３】
【００３６】
本発明の実施例３を図６乃至図９を用いて説明する。
【００３７】
図６は本発明の実施例３のスピーカユニットを示す正面断面図である。図７は実施例３のスピーカユニットのエッジ部近傍の構成部品を示す断面拡大図である。図８は実施例３のパンチングネット固定部品の固定構造１を示す拡大断面図である。図９は実施例３のパンチングネット固定部品の固定構造２を示す拡大断面図である。尚、実施例３は実施例１または実施例２の一部を変更したものであり、実施例１または実施例２と同じ構成については同じ符号を付し説明を省略する。
【００３８】
３０はスピーカボックス（又はスピーカグリル）で、図６，図7で示すように取付けられたスピーカユニット１２の前方には放音用の開口部３０ａが形成されている。
【００３９】
３１はパンチングネット固定部品で、図６，図7で示すように円筒形状をしており、円筒の外径はスピーカボックス３０の開口部３０ａに嵌入する寸法に形成され、円筒の内径３１ａはパンチングネット１７の基端部１７ａの外周が係合する寸法に形成されている。パンチングネット固定部品３１の材料にはプラスチックマグネット部材が用いられ樹脂成形加工などにより形成される。尚、パンチングネット固定部品３１はスピーカボックス３０の開口部３０ａに嵌入した後に接着剤などにより固定する。
【００４０】
以上説明したように、本発明の実施例３によれば、スピーカボックス（又はスピーカグリル）３０の放音用の開口部３０ａに、パンチングネット固定部品３１を固定し、パンチングネット１７の基端部１７ａの外周を、パンチングネット固定部品３１の磁力で吸着固定するようにしたので、パンチングネット１７の着脱が容易となりスピーカボックス３０にスピーカユニット１２を組み付けた後でもパンチングネット１７の着脱が可能となる。
【００４１】
その他に、図８で示すようにパンチングネット固定部品３１の終端部に、パンチングネット１７の基端部１７ａが緩挿する溝３１ｃ、または、図９で示すようにパンチングネット固定部品３１の終端部に、パンチングネット１７の基端面１７ｂが当接する当接面３１ｂを延設することにより、パンチングネット１７の基端面１７ｂが、スピーカフレーム１９の開口縁部１９ｂの前面、または、エッジ２５の接着固定面に直接当接するすることがなくなり、しかもパンチングネット１７の固定力が増強する。
【００４２】
尚、本実施例ではパンチングネット固定部品３１の材料にプラスチックマグネット部材を用いたが、これに限定されることなく金属製のマグネット部材を用いることも可能である。
【図面の簡単な説明】
【００４３】
【図１】本発明の実施例１のスピーカユニットを示す正面断面図である。
【図２】実施例１のスピーカユニットのエッジ部近傍の構成部品を示す断面拡大図で  ある。
【図３】実施例１のパンチングネット固定部品と一部が異なる固定構造を示す断面拡大図である。
【図４】本発明の実施例２のスピーカユニットのエッジ部近傍の構成部品を示す断面  拡大図である。
【図５】実施例２のパンチングネット固定部品と一部が異なる固定構造を示す断面拡大図である。
【図６】本発明の実施例３のスピーカユニットを示す正面断面図である。
【図７】実施例３のスピーカユニットのエッジ部近傍の構成部品を示す断面拡大図で  ある。
【図８】実施例３のパンチングネット固定部品の固定構造１を示す拡大断面図である。
【図９】実施例３のパンチングネット固定部品の固定構造２を示す拡大断面図である。
【図１０】背景技術のスピーカユニットを示す正面断面図である。
【図１１】背景技術のスピーカユニットのエッジ部近傍の構成部品を示す断面拡大図である。
【符号の説明】
【００４４】
１０、１１、１２・・・スピーカユニット
１５・・・振動板
１５ａ、１７ａ、１９ａ・・・基端部
１５ｂ・・・開口前面部
１６、２５・・・エッジ
１６ａ、２５ａ・・・内縁部
１６ｂ・・・外周縁部
１７・・・パンチングネット
１７ｂ・・・基端面
１８、２６、３１・・・パンチングネット固定部品
１８ａ、２６ａ、３１ｃ・・・溝
１８ｂ・・・内周縁部
１８ｃ、２６ｂ、３１ｂ・・・当接面
１９・・・スピーカフレーム
１９ｂ・・・開口縁部
１９ｃ、２５ｃ・・・外周部
２０・・・磁気回路
２０ａ・・・ポールピース
２０ｂ・・・プレート
２０ｃ・・・マグネット
２０ｄ・・・ボイスコイル
２０ｅ・・・ボビン
２０ｆ・・・上端部
２０ｇ・・・ポール部
２１・・・ダンパ
２５ｂ・・・外縁部
３０・・・スピーカボックス
３０ａ・・・開口部
３１ａ・・・内径
【図１】
2006060726.tif 000003
【図２】
2006060726.tif 000004
【図３】
2006060726.tif 000005
【図４】
2006060726.tif 000006
【図５】
2006060726.tif 000007
【図６】
2006060726.tif 000008
【図７】
2006060726.tif 000009
【図８】
2006060726.tif 000010
【図９】
2006060726.tif 000011
【図１０】
2006060726.tif 000012
【図１１】
2006060726.tif 000013